(57)【要約】【課題】本発明は、画鋲収容部内の画鋲を個々に取出し、その画鋲を押圧位置の所定位置まで強制的に確実に移動させることを課題とする。【解決手段】発明は、把持可能な器具本体と、前記容器本体の上面に設けられ且つ多数の画鋲が収容される画鋲収容部とを備えた画鋲押刺器具において、前記容器本体の底壁には、単体の画鋲が容器本体から出る取出口が形成され、前記器具本体には、容器本体から出た画鋲の頭部が載置される摺動面が、前記容器本体の前方に向けて形成され、針部が上向き姿勢で前記摺動面上の画鋲を前方に向けて押出す押出機構と、前記押出機構により押出された画鋲が器具本体先端で回転して針部が前向き姿勢に変更するように画鋲を吸着保持させる磁石を備えたことを特徴とする。【選択図】図１
2018043513.tif 000002
【特許請求の範囲】
【請求項１】
把持可能な器具本体と、
前記器具本体上に設けられた、画鋲が収容される画鋲収容部と、
を備えた画鋲押刺器具において、
前記画鋲収容部の底壁には、単体の画鋲が当該画鋲収容部から出る取出口が形成され、
前記器具本体には、前記画鋲収容部から出た画鋲の頭部が載置される摺動面が、前記画鋲収容部の前方に向けて形成され、
針部が上向き姿勢で前記摺動面上の画鋲を前方に向けて押出す押出機構と、
前記押出機構により押出された画鋲が器具本体先端で回転して針部が前向き姿勢に変更するように画鋲を吸着保持させる磁石を備えたことを特徴とする画鋲押刺器具。
【請求項２】
前記画鋲が磁石により吸着されながら前記摺動面上を摺動するように、前記摺動面に対して前記磁石が配設されていることを特徴とする請求項１に記載の画鋲押刺器具。
【請求項３】
前記器具本体先端部は、画鋲の頭部直径以上かつ画鋲の頭部直径の１．５倍以下の幅に設定されている突設部に形成され、前記突設部は前記画鋲収容部よりも前方に突出していることを特徴とする請求項１または２に記載の画鋲押刺器具。
【発明の詳細な説明】
【技術分野】
【０００１】
本発明は、例えば、壁面にあてがわれた掲示物を画鋲で突き刺して固定するのに最適な画鋲押刺器具に関する。
【背景技術】
【０００２】
一般に、掲示物を壁等の被掲示面に固定する際には、金属製の画鋲が使用されている。この画鋲はその円盤状の頭部と、頭部中心から立設された針部とから構成されている。画鋲は、個々に壁に押圧して刺し込む必要があるため、例えば、学校等のように多数の掲示物を壁に固定する場合には、個々に画鋲をつまんでいるため時間を要するとともに、頭部を押圧するため親指が痛くなる問題がある。
【０００３】
画鋲を直接に手で押圧しなくてもよいように、画鋲押刺器具が提案されている（例えば、特許文献１参照）。かかる画鋲押刺器具では、収容室から出た画鋲が落下する際に通過する供給路に、調節針が出退自在に設けられており、収容室から出た画鋲を当該調節針にて一旦保持しておく構造となっている。そして、調節針を供給路から退避させることにより針部を前方向にして落下する画鋲を圧着部材に設けられた磁石に吸着させ、この状態で圧着部材をばね力で前進させる構造となっている。
【先行技術文献】
【特許文献】
【０００４】
【特許文献１】実開昭５９−１７１０７６号公報
【発明の概要】
【発明が解決しようとする課題】
【０００５】
従来の画鋲押刺器具は、収容室を出た画鋲を自重による落下により、磁石を有する圧着部材まで移動させる構成である。このため、画鋲が供給路内で引っかかってしまうと落下させることができず、画鋲を個々に所定の押圧位置まで確実に移動できないおそれがある。
【０００６】
そこで、本発明は、画鋲収容部内の画鋲を個々に取出し、その画鋲を押圧位置の所定位置まで強制的に確実に移動させることができる画鋲押刺器具を提供することを課題とする。
【課題を解決するための手段】
【０００７】
本発明に係る画鋲押刺器具は、把持可能な器具本体と、前記器具本体上に設けられた、画鋲が収容される画鋲収容部と、を備えるものを前提とする。前記画鋲収容部の底壁には、単体の画鋲が当該画鋲収容部から出る取出口が形成されている。前記器具本体には、前記画鋲収容部から出た画鋲の頭部が載置される摺動面が、前記画鋲収容部の前方に向けて形成されている。さらに、本発明に係る画鋲押刺器具は、針部が上向き姿勢で前記摺動面上の画鋲を前方に向けて押出す押出機構と、前記押出機構により押出された画鋲が器具本体先端で回転して針部が前向き姿勢に変更するように画鋲を吸着保持させる磁石を備えている。
【０００８】
上記構成を備える画鋲押刺器具では、画鋲収容部の取出口から出た画鋲は、頭部が器具本体の摺動面上に載置されると、押出機構により画鋲を前方に押出され、器具本体先端に達すると、当該画鋲は器具本体先端を支点にして下方に回転し、その針部を前向き姿勢に変更する。頭部は磁石により突設部先端面の押圧位置で吸着保持される。
【０００９】
また、本実施形態の画鋲押刺器具では、画鋲収容部内の画鋲を個々に取出し、その画鋲を押出機構により押圧位置の所定位置まで確実に移動させることができる。また、本実施形態の画鋲押刺器具では、使用者が画鋲収容部内の画鋲に触ることなく、画鋲を個々に確実にかつ容易に押圧して刺し込むことができる。
【００１０】
上記構成を備える画鋲押刺器具においては、前記画鋲が磁石により吸着されながら前記摺動面上を摺動するように、前記摺動面に対して前記磁石が配設されていることが望ましい。
【００１１】
かかる構成を備える画鋲押刺器具によれば、前記画鋲が磁石により吸着されながら摺動面上を摺動するため、不用意に画鋲が摺動面から離脱するのを防止できる。
【００１２】
上記構成を備える画鋲押刺器具においては、前記器具本体先端部は、画鋲の頭部直径以上かつ画鋲の頭部直径の１．５倍以下の幅に設定されている突設部に形成され、前記突設部は前記画鋲収容部よりも前方に突出していることが望ましい。
【００１３】
かかる構成を備える画鋲押刺器具によれば、前記器具本体先端部が把持する部分や画鋲収容部よりも幅が狭く突出した凸部状態に形成できるため、作業者は、前記器具本体や画鋲収容部に遮られることなく針部を後方斜めであっても目視し易くなっている。そのため、針部の位置を確認でき、画鋲の押し込み位置合わせが確実なものになる。
【発明の効果】
【００１４】
本発明によれば、画鋲収容部内の画鋲を個々に取出し、その画鋲を押圧位置の所定位置まで強制的に確実に移動させることができる。
【図面の簡単な説明】
【００１５】
【図１】本発明の実施形態に係る画鋲押刺器具の概略を示す斜視図である。
【図２】送出部材が画鋲待機位置に位置する画鋲押刺器具の断面側面図である。
【図３】送出部材が画鋲押出位置に位置する画鋲押刺器具の断面側面図である。
【図４】（ａ）は本発明の実施形態に係る画鋲押刺器具の正面図、（ｂ）は図２のＸ−Ｘ線断面図である。
【図５】本発明の実施形態に係る画鋲押刺器具の送出部材の位置を示し、（ａ）は送出部材の画鋲待機位置を示す平面図、（ｂ）は送出部材の画鋲押出位置を示す平面図である。
【図６】本発明の他の実施形態に係る画鋲押刺器具の概略を示す斜視図である。
【図７】（ａ）は本発明の他の実施形態に係る画鋲押刺器具の断面側面図、（ｂ）は同要部を示す平面図である。
【図８】本発明の他の実施形態に係る画鋲押刺器具の正面図である。
【図９】送出部材の画鋲待機位置を示し、（ａ）は画鋲押刺器具の断面側面図、（ｂ）は同要部を示す平面図である。
【図１０】送出部材の画鋲押出位置を示し、（ａ）は画鋲押刺器具の断面側面図、（ｂ）は同要部を示す平面図である。
【図１１】本発明の更に他の実施形態に係る画鋲押刺器具の概略を示す斜視図である。
【図１２】本発明の更に他の実施形態に係る画鋲押刺器具の送出部材の画鋲待機位置を示す一部断面を含む平面図である。
【図１３】本発明の更に他の実施形態に係る画鋲押刺器具の送出部材の画鋲押出位置を示す平面図である。
【図１４】本発明の更に他の実施形態に係る画鋲押刺器具の容器本体内の壁構造を示す平面図である。
【図１５】本発明の更に他の実施形態に係る画鋲押刺器具の容器本体内の壁構造を示す平面図である。
【図１６】本発明の更に他の実施形態に係る画鋲押刺器具の容器本体内の着色状態を示す平面図である。
【発明を実施するための形態】
【００１６】
以下、本発明を実施形態に基づき、図面を参照して説明する。
【００１７】
図１〜図５は、本発明の一実施形態を示す。本実施形態に係る画鋲押刺器具１は、把持可能な器具本体２と、画鋲収容部３とを備えている。
【００１８】
画鋲収容部３は、透明のプラスチックケースからなり、内部に多数の画鋲５が収容されている。画鋲収容部３は器具本体２上面に固定された容器本体３０と、容器本体３０の上面開口を着脱自在に閉塞する蓋３１とから構成されている。容器本体３０は底壁３２と、平面状の前壁３３と、互いに平行な左右側壁３４、３５と、凸状の後壁３６とから構成されている。容器本体３０の幅寸法（左右側壁の間隔）Ｗは、画鋲５の円板状頭部５ａの直径の２．５倍以上に設定されているのが好ましい。更に好ましくは、容器本体３０の幅寸法Ｗは、図５（ａ）に示すように、３個の画鋲５の頭部５ａが並びやすい寸法（例えば頭部５ａの直径の３倍以上３．５倍未満）にするとよい。
【００１９】
底壁３２の前端部でかつ左右方向（幅方向）中央部には、円形の取出口３７が開口形成されている。取出口３７の直径は、単体の画鋲５が底壁３２を通過して取り出せるように、画鋲５の頭部５ａの直径よりも若干大きく設定されている。また、取出口３７の開口周縁は前壁３３内面に接する位置に設けられている。前壁３３の幅方向の中央部には、画鋲５の針部５ｂが上向き姿勢で通過可能な画鋲通過用開口３３ａが形成されている。なお、画鋲収容部３は後壁３６が凸状のものを例示するが、画鋲収容部３の形状は特に限定されるものではないが、前壁３３が平面状のものが好ましい。
【００２０】
器具本体２は、プラスチック製、木製または金属製等で、把持部２０と、把持部２０の前方の先端に突設された突設部２１とを備えている。なお、前方とは画鋲５を壁等に押圧して刺し込む方向をいう。
【００２１】
把持部２０の上面には、その長手方向に沿ってガイド溝２３が形成されている。ガイド溝２３には、帯板状の送出部材２４が前後方向に摺動自在に嵌合されている。また、把持部２０の上面には、送出部材２４がガイド溝２３から離脱するのを防止する閉塞板２５が固定されている。閉塞板２５には、前後方向に長孔２５ａが形成されている。
【００２２】
送出部材２４は画鋲待機位置Ａと画鋲押圧位置Ｂとの間で移動自在に構成されている。ここで、画鋲待機位置Ａとは、送出部材２４の先端が取出口３７よりも後方に後退し、取出口３７を開放する位置をいう。画鋲押出位置Ｂとは、送出部材２４の先端が突設部２１の先端と略同等（面一）の位置まで前進する位置をいう。
【００２３】
送出部材２４の先端には、円弧状の画鋲押出凹部２４ａが形成されている。この画鋲押出凹部２４ａの曲率半径は、図５に示すように、画鋲５の頭部５ａの半径より大きく設定されていることが望ましい。送出部材２４の後部には、送出部材２４を往復移動させるための操作部２６が設けられている。操作部２６は送出部材２４を上方に湾曲させることにより形成されているが、別部材を取付けることも可能である。操作部２６が後壁３６に当接することにより、送出部材２４の画鋲押出位置Ｂで位置決めするストッパーの機能を有する。送出部材２４の画鋲待機位置Ａは、操作部２６を閉塞板２５の長孔２５ａの後縁に当接させることにより位置決めするようになっている。
【００２４】
送出部材２４、把持部２０のガイド溝２３および閉塞板２５により、画鋲５を突設部２１に押し出す押出機構２２が構成されている
【００２５】
突設部２１の幅寸法Ｗ１は、図４（ａ）に示すように、画鋲５の頭部５ａの直径以上で２倍以下に設定するのが好ましい。更に好ましくは、画鋲５の頭部５ａの直径以上で１．５倍以下に設定する。また、突設部２１の幅寸法Ｗ１は、把持部２０の幅寸法Ｗ２および画鋲収容部３の幅寸法Ｗよりも小さく設定されている。
【００２６】
突設部２１内部には、磁石２７が設けられている。突設部２１の上面は平坦な摺動面２１ａとなっており、摺動面２１ａは磁石２７により吸着面としての機能も有している。磁石２７は、突設部２１の先端面２１ｂまで設けられている。突設部２１の両側には、摺動面２１ａよりも若干突出するガイド部２８が設けられている。
【００２７】
次に、以上の構成からなる画鋲押刺器具１を使用する場合について説明する。
【００２８】
先ず、多数の画鋲５を、画鋲収容部３の容器本体３０に収容した後に蓋３１で閉塞する。このとき、容器本体３０内の画鋲５は針部５ｂが様々な方向を向いた状態になっている。また、送出部材２４は画鋲待機位置Ａにある（図２参照）。
【００２９】
把持部２０を片手で把持し画鋲押刺器具１に左右に振る。このとき、画鋲収容部３内の画鋲５は、任意の不揃いの状態であるが、左右に振られる振動により画鋲５の針部５ｂが上向きとなる。このように、針部５ｂが上向きとなるのは、頭部５ａが底壁３２に接地することにより安定するからである。
【００３０】
また、画鋲押刺器具１の前方を若干下げて振ることで、画鋲５は容器本体３０の前側に集まり、平面の前壁３３に当接し位置決めされる。また、画鋲収容部３の幅寸法Ｗは、画鋲５の直径の２．５倍以上に設定されていることにより、１個の画鋲５の頭部５ａが取出口３７上にスムーズに配置される。
【００３１】
また、幅寸法Ｗが画鋲５の頭部５ａの直径の３倍以上３．５倍未満である場合は、３個の画鋲５の頭部５ａが前壁３３に沿って横並びするため、自ずと中央の画鋲５が取出口３７上に配置され、取出口３７からの画鋲５の取り出しが更にスムーズとなる。
【００３２】
画鋲収容部３の取出口３７を出た画鋲５は、器具本体２の上面の摺動面２１ａに落下する。このとき、画鋲５は、針部５ｂが上向きの姿勢で頭部５ａが摺動面２１ａに載置される。画鋲収容部３は透明のプラスチックケースから構成されているため、作業者は、それぞれの画鋲５の状態を目視しながら画鋲押刺器具１を振ることができ、一個の画鋲５が摺動面２１ａに載置された状態を確認できる。
【００３３】
次に、操作部２６を前方に押し出すように操作すると、送出部材２４が前方に摺動し、送出部材２４先端の画鋲押出凹部２４ａが、画鋲５を押し出す。これにより、画鋲５は摺動面２１ａ上を前方に押し出される。摺動面２１ａの下方には、磁石２７が存在するため、摺動面２１ａには磁石２７による吸着力が作用しており、画鋲５は摺動面２１ａに吸着されながら摺動することとなる。なお、操作部２６は、把持部２０の上方で幅方向の中央部に位置するため、右手の親指であっても、左の親指であっても、左右勝手に無関係に操作することができる。
【００３４】
送出部材２４の先端は、円弧状に形成されているため、画鋲５を摺動面２１ａ中央に寄せた状態で摺動させることができる。このため、画鋲５は摺動面上を安定して直線状に移動することとなる。また、摺動面２１ａの左右には、ガイド部２８が向けられているため、不用意に摺動面から落下するのを更に効果的に防止できる。
【００３５】
画鋲５が突設部２１先端に達すると（送出部材２４が画鋲押出位置Ｂへ達すると）、頭部５ａが突設部２１先端よりも押し出されるため、当該画鋲５は、自重により、押出部材２４の画鋲押出凹部２４ａから離脱して下方に落下しようとする。摺動面２１ａは磁石２７により画鋲５を吸着しているため、画鋲５は、突設部２１先端を支点にして下方に回転し、針部５ｂが前向き姿勢に変更する。頭部５ａは磁石２７により突設部２１先端面２１ｂに吸着される。磁石２７は露出しているため、吸着力が強くなり画鋲５は所定の押圧位置で吸着保持される。なお、図５に示すように、画鋲押出凹部２４ａの曲率半径が画鋲５の頭部５ａの半径より大きく設定されている場合は、画鋲５の画鋲押出凹部２４ａからの上記離脱がより確実に行われる。
【００３６】
さらに、作業者は、突設部２１を壁等の掲示面に接近させて、針部５ｂを掲示面に押し込む。このとき、把持部２０の先端には、幅の狭い突設部２１が突出しているため、作業者は、把持部２０や画鋲収容部３に遮られることなく針部５ｂを後方斜めであっても目視し易くなっている。そのため、針部５ｂの位置確認が容易にでき、画鋲５の押し込み位置合わせが確実なものになる。
【００３７】
さらに、送出部材２４を画鋲待機位置Ａに復帰させた後に、前記同様に左右方向に振動させる。さらに、次の画鋲５の押し刺し作業を繰り返して行う。なお、画鋲押刺器具１を使用しないときは、送出部材２４を画鋲押出位置Ｂにしておく。こうすることで、画鋲収容部３内の画鋲５が取出口３７に嵌まり込んでも、摺動面２１ａ上まで移動できないため、不用意に画鋲５が画鋲収容部３の外へ出てしまうことを防止できる。
【００３８】
本実施形態の画鋲押刺器具１は、画鋲収容部内の画鋲を個々に取出し、その画鋲を押出機構により押圧位置の所定位置まで強制的に確実に移動させることができる。また、画鋲収容部内の画鋲に触ることなく、画鋲を個々に確実にかつ容易に所定の位置に押圧して刺し込むことができる。
【００３９】
図６〜図１０は、本発明の他の実施形態を示す。本実施形態は、ピストルタイプのものを例示する。なお、前記実施形態と同一部材は同一符号を付して、それぞれの具体的な説明は省略する。
【００４０】
器具本体２は、下方に突出する把持部４０と、操作レバー４１とを備えている。把持部４０には、ガイド通路４３が形成されている。ガイド通路４３内に長尺状の送出部材２４が摺動自在に挿通されている。操作レバー４１の上部は、支持軸４４を支点にして前後方向に揺動自在になっている。
【００４１】
支持軸４４には、スプリング４５が外嵌されており、スプリング４５の一方４５ａは、把持部４０に挿入されている。これにより、操作レバー４１は前方に回動するように付勢されている。操作レバー４１の先端部には、送出部材２４の端部が連結されている。操作レバー４１を揺動させることにより、ガイド通路４３内を送出部材２４が往復移動する構成になっている。
【００４２】
なお、送出部材２４、操作レバー４１およびスプリング４５により、画鋲５を突設部２１に押し出す押出機構２２が構成されている
【００４３】
画鋲押刺器具１を使用しない通常時は、図７に示すように、操作レバー４１と器具本体２との間には、ストッパー４６が介在される。ストッパー４６は、操作レバー４１の弾性力により、操作レバー４１と器具本体２との間で挟持されているため、不用意に脱落することはない。この状態で画鋲収容部３の容器本体３０の取出口３７は、送出部材２４により閉塞されているため、画鋲５が不用意に出てくることはない。
【００４４】
画鋲押刺器具１を使用する場合には、ストッパー４６を抜き取る。なお、ストッパー４６は紐等で器具本体２に連結しておくのが好ましい。操作レバー４１はスプリング４５の弾性力により回動するため、送出部材２４は後退する（図９参照）。これにより、画鋲待機位置Ａとなる。前記同様に画鋲押刺器具１を左右に振ると画鋲５が整列されるとともに、取出口３７が開放されているため、取出口３７から画鋲５が取り出せる。
【００４５】
さらに、操作レバー４１を閉じる方向に揺動操作させると、送出部材２４が前方に移動するため画鋲５を押し出す。そして、画鋲押出位置Ｂに達すると画鋲５は回転して磁石２７に吸着され、画鋲５は所定の押圧位置で吸着保持される（図１０参照）。
【００４６】
本実施形態の画鋲押刺器具１は、操作レバー４１と器具本体２との間には、ストッパー４６が介在されているので、画鋲５が不用意に脱落することがなく、安全である。
【００４７】
図１１〜図１３は、本発明の更に他の実施形態を示す。なお、前記実施形態と同一部材は同一符号を付して、それぞれの具体的な説明は省略する。
【００４８】
本実施形態は、画鋲収容部３が把持部も兼用している。すなわち、画鋲収容部３は、平面視略瓢箪形状を呈しており、画鋲収容部３の左右側壁３４、３５が凹凸形状をして把持し易く形成されている。画鋲収容部３は器具本体２の略全長にわたって設けられている。画鋲収容部３は前方側の幅が次第に狭くなり、前壁３３は外側に湾曲形成されている。このため、画鋲５単体で画鋲収容部３の前方に移動させることができる。
【００４９】
操作部２６は器具本体２の左右一側面（例えば収容部３０ａの左側壁３４面側）に位置している。このように、操作部２６を器具本体２の一側面に設けることにより、右利きの作業者が操作しやすくなるように構成している。また、反対側の右側壁３５面に配置することにより、左利きの作業者が把持し易く構成することができる。
【００５０】
突設部２１のガイド部２８は、摺動面２１ａの上方に位置するように、互いに対向する落下防止片２８ａが間隔を有して設けられている。これら落下防止片２８ａにより、画鋲５の頭部５ａを上方から覆うため、画鋲５が摺動面２１ａ上を摺動するガイドと落下するのを確実に防止することができる。なお、送出部材２４の先端には、画鋲押出凹部２４ａは設けていない。
【００５１】
図１４〜図１５は、本発明の更に他の実施形態を示す。なお、前記実施形態と同一部材は同一符号を付して、それぞれの具体的な説明は省略する。
【００５２】
図１４（ａ）〜（ｃ）に示す画鋲押刺器具では、容器本体３０内に規制壁５１と終端壁５２が設けられている。
【００５３】
規制壁５１は、取出口３７の近傍の後側において、容器本体３０の左側壁から右方向に延出し、容器本体３０の右側壁との間に、画鋲５の頭部５ａが同時に１つだけ通過可能な路幅の流入規制通路５０を形成している。このような流通規制通路５０を設けたことにより、取出口３７の近傍で複数の画鋲が競り合うことが少なくなり、取出口３７から円滑に画鋲５が出やすくなる。
【００５４】
また、図１４（ａ）は、規制壁５１の端面が前後方向に平行に形成されているが、規制壁５１の端面は、図１４（ｂ）、図１４（ｃ）に示すように、前後方向に対して斜めに形成されていてもよい。特に図１４（ｂ）に示すように、規制壁５１の端面が前方に向かって取出口３７の中心側に傾斜している場合は、流通規制通路５０を通過した画鋲５が取出口３７の方に誘導され易いという利点がある。
【００５５】
終端壁５２は、前記流入規制通路５０を通じて取出口３７の方へ移動してくる画鋲５を取出口３７の上で止める役割を果たす。このため、終端壁５２は、取出口３７の近傍左側に設けられている。この終端壁５２が設けられていることにより、取出口３７の近傍で複数の画鋲が競り合うことが更に少なくなり、取出口３７から更に円滑に画鋲５が出やすくなる。なお、終端壁５２は、設けることが望ましいが、図１５（ａ）〜（ｃ）に示すように、終端壁５２を省略したものであっても規制壁５１による作用効果は得られる。
【００５６】
なお、図１４に示す規制壁５１と終端壁５２は左右逆側に設けても良い。また、図１５に示す規制壁５１も左右逆側に設けても良い。
【００５７】
図１６は、本発明の更に他の実施形態を示す。なお、前記実施形態と同一部材は同一符号を付して、それぞれの具体的な説明は省略する。
【００５８】
図１６に示すように、取出口３７から出た画鋲５が載置される部分を、周囲と異なる色に着色するとよい（着色は、赤などの目立つ色によることが好ましい。）。この着色部分５５は、図１６（ａ）に示すように、送出部材２４が画鋲待機位置Ａにあるとき透明の容器本体３０を通して視認でき、図１６（ｂ）に示すように、送出部材２４が画鋲押出位置Ｂにあるとき、送出部材２４に覆われて視認不能となる。よって、ユーザは、画鋲押刺器具の非使用時において、着色部分５５が見えているときは、送出部材２４が画鋲待機位置Ａにあり、画鋲５が意図せずに取出口３７から飛び出してしまう可能性のあることを用意に認識することができる。
【００５９】
なお、図１６は、図１４（ｂ）に対応した図であるが、着色部分５５を設けることは、図１４（ｂ）に示した画鋲押刺器具に限定されず、既述した何れの画鋲押刺器具にも適用可能である。
【００６０】
以上、本発明を実施の形態に基づいて説明したが、本発明は、上記の実施の形態に限定されるものではない。本発明と同一および均等の範囲内において、上記の実施の形態に対して種々の変更を加えることが可能である。
【符号の説明】
【００６１】
１          画鋲押刺器具
２          器具本体
３          画鋲収容部
５          画鋲
５ａ        頭部
５ｂ        針部
２０        把持部
２１        突設部
２１ａ      摺動面
２１ｂ      先端面
２２        押出機構
２４        送出部材
２４ａ      画鋲押出凹部
２５        閉塞板
２６        操作部
２７        磁石
２８        ガイド部
３０        容器本体
３１        蓋
３２        底壁
３３        前壁
３４、３５  左右側壁
３６        後壁
３７        取出口
４０        把持部
４１        操作レバー
４５        スプリング
４６        ストッパー
Ａ          画鋲待機位置
Ｂ          画鋲押出位置
【図１】
2018043513.tif 000003
【図２】
2018043513.tif 000004
【図３】
2018043513.tif 000005
【図４】
2018043513.tif 000006
【図５】
2018043513.tif 000007
【図６】
2018043513.tif 000008
【図７】
2018043513.tif 000009
【図８】
2018043513.tif 000010
【図９】
2018043513.tif 000011
【図１０】
2018043513.tif 000012
【図１１】
2018043513.tif 000013
【図１２】
2018043513.tif 000014
【図１３】
2018043513.tif 000015
【図１４】
2018043513.tif 000016
【図１５】
2018043513.tif 000017
【図１６】
2018043513.tif 000018